(57)【特許請求の範囲】
【請求項１】
貨幣の処理を行う貨幣処理機であって、
貨幣を機体内に入金するための入金部と、
機体内に設けられ、貨幣を収納するための収納部と、
前記収納部に収納された貨幣を機体外に出金するための出金部と、
前記収納部に収納されている貨幣について在高異常の可能性が生じたときにこのことを検出する在高異常検出部と、
前記在高異常検出部により在高異常の可能性が生じたことが検出されるたびにこのことを記憶する記憶部と、
所定の指令が与えられたときに、前記記憶部に記憶された情報に基づいて、現操作者の担当期間内において在高異常の可能性が生じているかを確認し、その確認結果に基づく情報を出力する制御部と、
を備えたことを特徴とする貨幣処理機。
【請求項２】
前記所定の指令は、操作者交代の指令、または前記在高異常の可能性の有無確認の指令であることを特徴とする請求項１記載の貨幣処理機。
【請求項３】
前記所定の指令を前記制御部に入力するための操作部を更に備えたことを特徴とする請求項１または２記載の貨幣処理機。
【請求項４】
前記貨幣処理機とは別に設けられた外部装置から前記貨幣処理機の前記制御部に対して前記所定の指令が送信されるようになっていることを特徴とする請求項１乃至３のいずれか一項に記載の貨幣処理機。
【請求項５】
前記制御部から出力された情報を操作者に報知するための報知部を更に備えたことを特徴とする請求項１乃至４のいずれか一項に記載の貨幣処理機。
【請求項６】
前記報知部は、前記制御部から出力された情報を表示する表示部を含むことを特徴とする請求項５記載の貨幣処理機。
【請求項７】
前記制御部は、前記所定の指令が与えられたときに、前記記憶部に記憶された情報に基づいて、現操作者の担当期間外において在高異常の可能性が生じているかを確認し、その確認結果に基づく情報も出力することができるようになっていることを特徴とする請求項１乃至６のいずれか一項に記載の貨幣処理機。
【請求項８】
貨幣の処理を行う貨幣処理機と、
前記貨幣処理機とは別に設けられ、当該貨幣処理機に通信接続された外部装置と、
を備えた貨幣処理システムであって、
前記貨幣処理機は、
貨幣を機体内に入金するための入金部と、
機体内に設けられ、貨幣を収納するための収納部と、
前記収納部に収納された貨幣を機体外に出金するための出金部と、
を有し、
前記貨幣処理システムは、
前記貨幣処理機の前記収納部に収納されている貨幣について在高異常の可能性が生じたときにこのことを検出する在高異常検出部と、
前記在高異常検出部により在高異常の可能性が生じたことが検出されるたびにこのことを記憶する記憶部と、
所定の指令が与えられたときに、前記記憶部に記憶された情報に基づいて、現操作者の担当期間内において在高異常の可能性が生じているかを確認し、その確認結果に基づく情報を出力する制御部と、
を備えたことを特徴とする貨幣処理システム。
【請求項９】
貨幣処理機により貨幣を処理する貨幣処理方法であって、
前記貨幣処理機の収納部に収納されている貨幣について在高異常の可能性が生じたときにこのことを検出する工程と、
在高異常の可能性が生じたことが検出されるたびにこのことを記憶部に記憶させる工程と、
所定の指令が与えられたときに、前記記憶部に記憶された情報に基づいて、現操作者の担当期間内において在高異常の可能性が生じているかを確認し、その確認結果に基づく情報を出力する工程と、
を備えたことを特徴とする貨幣処理方法。
【発明の詳細な説明】
【技術分野】
【０００１】
本発明は、紙幣や硬貨等の貨幣を処理する貨幣処理機、この貨幣処理機を備えた貨幣処理システム、および貨幣処理機により貨幣を処理する貨幣処理方法に関する。
【背景技術】
【０００２】
従来から、紙幣や硬貨等の貨幣の処理を行う貨幣処理機として様々な種類のものが知られている。例えば、特許文献１には、キャッシュレジスタやＰＯＳレジスタ等に接続して使用され、紙幣入出金機および硬貨入出金機で構成される貨幣処理機が開示されている。特許文献１に開示される貨幣処理機では、顧客から受け取った紙幣および硬貨を自動的に入金するとともに、釣銭としての紙幣および硬貨を自動的に出金することができるようになっている。
【０００３】
特許文献１等に開示されるような貨幣処理機では、（１）通常処理で、入力データと紙幣および硬貨の入金金額の合計が一致しない場合、（２）リジェクトがあった場合、（３）マニュアル出金の場合において、異常ログ判定部によりログデータが異常であると判定されるようになっている。そして、店舗の営業終了後、あるいは営業中の所定のタイミングに行われる精算処理時において、貨幣処理機の締め処理（終日）を行う際に、ログデータを表示部により表示することができるようになっている。
【先行技術文献】
【特許文献】
【０００４】
【特許文献１】特許第３４９５８３８号
【発明の概要】
【発明が解決しようとする課題】
【０００５】
しかしながら、特許文献１等に開示されるような従来の貨幣処理機では、複数の操作者が交代で貨幣処理機を取り扱う場合、操作者の交代時に、交代前の操作者の担当期間内において貨幣処理機の収納部に収納されている貨幣について在高異常が生じたか否かを確認することができないという問題があった。すなわち、貨幣処理機の収納部に収納されている貨幣について在高異常が生じた場合であっても、従来の貨幣処理機では、このような在高異常が生じたことについて早くても店舗の営業終了後等に貨幣処理機の締め処理を行う際にしか確認することができなかった。これに対して、近年では、複数の操作者が交代で貨幣処理機を取り扱う場合、各操作者の担当期間内に在高異常の発生の有無を操作者の交代時に確認し、貨幣処理機の収納部に収納されている貨幣について在高異常が生じたときにはこのことを迅速に認識することができるようにすることが求められている。また、操作者の交代時以外でも、操作者が自分の担当期間中における在高異常の発生の有無を確認したいという要望もある。
【０００６】
本発明は、このような点を考慮してなされたものであり、複数の操作者が交代で貨幣処理機を取り扱う場合において操作者が交代するときや、操作者が自分の担当期間中における在高異常の発生の有無を確認したいときに、現操作者の担当期間内において在高異常の可能性が生じていた場合にはこのことを確認することができる貨幣処理機、貨幣処理システムおよび貨幣処理方法を提供することを目的とする。
【課題を解決するための手段】
【０００７】
本発明は、貨幣の処理を行う貨幣処理機であって、貨幣を機体内に入金するための入金部と、機体内に設けられ、貨幣を収納するための収納部と、前記収納部に収納された貨幣を機体外に出金するための出金部と、前記収納部に収納されている貨幣について在高異常の可能性が生じたときにこのことを検出する在高異常検出部と、前記在高異常検出部により在高異常の可能性が生じたことが検出されたときにこのことを記憶する記憶部と、所定の指令が与えられたときに、前記記憶部に記憶された情報に基づいて、現操作者の担当期間内において在高異常の可能性が生じているかを確認し、その確認結果に基づく情報を出力する制御部と、を備えたことを特徴とする貨幣処理機である。
【０００８】
このような貨幣処理機によれば、収納部に収納されている貨幣について在高異常の可能性が生じたときには在高異常検出部によりこのことが検出され、在高異常検出部により在高異常の可能性が生じたことが検出されたときにこのことが記憶部に記憶されるようになっている。そして、所定の指令が制御部に与えられたときに、記憶部に記憶された情報に基づいて、現操作者の担当期間内において在高異常の可能性が生じているかを確認し、その確認結果に基づく情報を出力するようになっている。このことにより、複数の操作者が交代で貨幣処理機を取り扱う場合において操作者が交代するときや、操作者が自分の担当期間中における在高異常の発生の有無を確認したいときに、現操作者の担当期間内において在高異常の可能性が生じていた場合にはこのことを確認することができる。すなわち、従来の貨幣処理機では、貨幣処理機の収納部に収納されている貨幣について在高異常が生じた場合であっても、このような在高異常の発生は早くても店舗の営業終了後等に貨幣処理機の締め処理を行う際にしか確認することができなかった。これに対して、本発明による貨幣処理機によれば、各操作者の担当期間内における在高異常の発生の有無を操作者の交代時等に確認し、貨幣処理機の収納部に収納されている貨幣について在高異常が生じたときにはこのことを迅速に認識することができるようになる。
【０００９】
本発明の貨幣処理機においては、前記所定の指令は、操作者交代の指令、または前記在高異常の可能性の有無確認の指令であってもよい。
【００１０】
本発明の貨幣処理機においては、前記所定の指令を前記制御部に入力するための操作部を更に備えていてもよい。
【００１１】
本発明の貨幣処理機においては、前記貨幣処理機とは別に設けられた外部装置から前記貨幣処理機の前記制御部に対して前記所定の指令が送信されるようになっていてもよい。
【００１２】
本発明の貨幣処理機においては、前記制御部から出力された情報を操作者に報知するための報知部を更に備えていてもよい。
【００１３】
この際に、前記報知部は、前記制御部から出力された情報を表示する表示部を含んでいてもよい。
【００１４】
本発明の貨幣処理機においては、前記制御部は、前記所定の指令が与えられたときに、前記記憶部に記憶された情報に基づいて、現操作者の担当期間外において在高異常の可能性が生じているかを確認し、その確認結果に基づく情報も出力することができるようになっていてもよい。
【００１５】
本発明は、貨幣の処理を行う貨幣処理機と、前記貨幣処理機とは別に設けられ、当該貨幣処理機に通信接続された外部装置と、を備えた貨幣処理システムであって、前記貨幣処理機は、貨幣を機体内に入金するための入金部と、機体内に設けられ、貨幣を収納するための収納部と、前記収納部に収納された貨幣を機体外に出金するための出金部と、を有し、前記貨幣処理システムは、前記貨幣処理機の前記収納部に収納されている貨幣について在高異常の可能性が生じたときにこのことを検出する在高異常検出部と、前記在高異常検出部により在高異常の可能性が生じたことが検出されたときにこのことを記憶する記憶部と、所定の指令が与えられたときに、前記記憶部に記憶された情報に基づいて、現操作者の担当期間内において在高異常の可能性が生じているかを確認し、その確認結果に基づく情報を出力する制御部と、を備えたことを特徴とする貨幣処理システムである。
【００１６】
このような貨幣処理システムによれば、貨幣処理機の収納部に収納されている貨幣について在高異常の可能性が生じたときには在高異常検出部によりこのことが検出され、在高異常検出部により在高異常の可能性が生じたことが検出されたときにこのことが記憶部に記憶されるようになっている。そして、所定の指令が制御部に与えられたときに、記憶部に記憶された情報に基づいて、現操作者の担当期間内において在高異常の可能性が生じているかを確認し、その確認結果に基づく情報を出力するようになっている。このことにより、複数の操作者が交代で貨幣処理機を取り扱う場合において操作者が交代するときや、操作者が自分の担当期間中における在高異常の発生の有無を確認したいときに、現操作者の担当期間内において在高異常の可能性が生じていた場合にはこのことを確認することができる。すなわち、従来の貨幣処理システムでは、貨幣処理機の収納部に収納されている貨幣について在高異常が生じた場合であっても、このような在高異常の発生は早くても店舗の営業終了後等に貨幣処理機の締め処理を行う際にしか確認することができなかった。これに対して、本発明による貨幣処理システムによれば、各操作者の担当期間内における在高異常の発生の有無を操作者の交代時等に確認し、貨幣処理機の収納部に収納されている貨幣について在高異常が生じたときにはこのことを迅速に認識することができるようになる。
【００１７】
本発明は、貨幣処理機により貨幣を処理する貨幣処理方法であって、前記貨幣処理機の収納部に収納されている貨幣について在高異常の可能性が生じたときにこのことを検出する工程と、在高異常の可能性が生じたことが検出されたときにこのことを記憶部に記憶させる工程と、所定の指令が与えられたときに、前記記憶部に記憶された情報に基づいて、現操作者の担当期間内において在高異常の可能性が生じているかを確認し、その確認結果に基づく情報を出力する工程と、を備えたことを特徴とする貨幣処理方法である。
【００１８】
このような貨幣処理方法によれば、貨幣処理機の収納部に収納されている貨幣について在高異常の可能性が生じたときにはこのことが検出され、在高異常の可能性が生じたことが検出されたときにこのことが記憶部に記憶されるようになっている。そして、所定の指令が与えられたときに、記憶部に記憶された情報に基づいて、現操作者の担当期間内において在高異常の可能性が生じているかを確認し、その確認結果に基づく情報を出力するようになっている。このことにより、複数の操作者が交代で貨幣処理機を取り扱う場合において操作者が交代するときや、操作者が自分の担当期間中における在高異常の発生の有無を確認したいときに、現操作者の担当期間内において在高異常の可能性が生じていた場合にはこのことを確認することができる。すなわち、従来の貨幣処理方法では、貨幣処理機の収納部に収納されている貨幣について在高異常が生じた場合であっても、このような在高異常の発生は早くても店舗の営業終了後等に貨幣処理機の締め処理を行う際にしか確認することができなかった。これに対して、本発明による貨幣処理方法によれば、各操作者の担当期間内における在高異常の発生の有無を操作者の交代時等に確認し、貨幣処理機の収納部に収納されている貨幣について在高異常が生じたときにはこのことを迅速に認識することができるようになる。
【発明の効果】
【００１９】
本発明の貨幣処理機、貨幣処理システムおよび貨幣処理方法によれば、複数の操作者が交代で貨幣処理機を取り扱う場合において操作者が交代するときや、操作者が自分の担当期間中における在高異常の発生の有無を確認したいときに、現操作者の担当期間内において在高異常の可能性が生じていた場合にはこのことを確認することができる。
【図面の簡単な説明】
【００２０】
【図１】本発明の一の実施の形態における貨幣処理システムの構成の概略を示す概略構成図である。
【図２】図１に示す貨幣処理システムにおける硬貨釣銭機、紙幣釣銭機およびＰＯＳレジスタの外観を示す斜視図である。
【図３】図１等に示す貨幣処理システムの制御ブロック図である。
【図４】図１等に貨幣処理システムにおいて、複数の操作者が貨幣釣銭機を取り扱う場合における操作者の交代時の動作を示すフローチャートである。
【図５】（ａ）〜（ｄ）は、図４のフローチャートに示すような動作が行われる際に操作表示部に表示される画面をそれぞれ示す図である。
【図６】（ａ）〜（ｄ）は、図４のフローチャートに示すような動作が行われる際に操作表示部に表示される画面をそれぞれ示す図である。
【図７】（ａ）、（ｂ）は、操作表示部に表示される、操作者の担当期間内の取引の詳細の内容をそれぞれ示す図である。
【発明を実施するための形態】
【００２１】
以下、図面を参照して本発明の一の実施の形態について説明する。図１乃至図７は、本実施の形態に係る貨幣処理システムを示す図である。このうち、図１は、本実施の形態における貨幣処理システムの構成の概略を示す概略構成図である。また、図２は、図１に示す貨幣処理システムにおける硬貨釣銭機、紙幣釣銭機およびＰＯＳレジスタの外観を示す斜視図であり、図３は、図１等に示す貨幣処理システムの制御ブロック図である。また、図４は、図１等に貨幣処理システムにおいて、複数の操作者が貨幣釣銭機を取り扱う場合における操作者の交代時の動作を示すフローチャートである。また、図５および図６は、図４のフローチャートに示すような動作が行われる際に操作表示部に表示される画面をそれぞれ示す図である。また、図７は、操作表示部に表示される、操作者の担当期間内の取引の詳細の内容を示す図である。
【００２２】
まず、本実施の形態の貨幣処理システム１の全体構成について図１および図２を用いて説明する。図１および図２に示すように、貨幣処理システム１は、硬貨釣銭機１００と、紙幣釣銭機２００と、ＰＯＳレジスタ３００とを備えている。硬貨釣銭機１００および紙幣釣銭機２００は、それぞれ硬貨や紙幣の入出金処理を行うようになっている。また、図２に示すように、硬貨釣銭機１００および紙幣釣銭機２００は左右方向に並べて配置される。以下、硬貨釣銭機１００および紙幣釣銭機２００をまとめて貨幣釣銭機ともいう。
【００２３】
また、図１に示すように、ＰＯＳレジスタ３００は店舗サーバ４００に通信接続されている。そして、ＰＯＳレジスタ３００から店舗サーバ４００に売上金情報等が送信されるようになっている。また、各種設定情報が、店舗サーバ４００からＰＯＳレジスタ３００（複数台でも可）に配信されるようになっている。
【００２４】
図１に示すように、硬貨釣銭機１００および紙幣釣銭機２００は、それぞれ制御部１３０、２３０を有しており、これらの制御部１３０、２３０は互いに通信接続されている。また、ＰＯＳレジスタ３００も制御部３３０を有しており、硬貨釣銭機１００の制御部１３０はＰＯＳレジスタ３００の制御部３３０に通信接続されている。そして、ＰＯＳレジスタ３００は、硬貨釣銭機１００および紙幣釣銭機２００の上面に載置される。
【００２５】
以下、硬貨釣銭機１００、紙幣釣銭機２００およびＰＯＳレジスタ３００について図１および図２を用いて詳述する。
【００２６】
まず、硬貨釣銭機１００の構成について具体的に説明する。図１および図２に示すように、硬貨釣銭機１００は、前部上面にタッチパネル等の操作表示部１１２を有する筐体１１０を備えている。筐体１１０の前部には硬貨受入部１１４および硬貨払出部１１６が設けられている。
【００２７】
硬貨受入部１１４は、受け入れた硬貨を１層１列状態で１枚ずつ機体内に取り込むようになっている。硬貨受入部１１４には、当該硬貨受入部１１４により機体内に取り込まれた硬貨を搬送する入金搬送部１０３が接続されている。
【００２８】
この入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００２９】
一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。
【００３０】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００３１】
次に、紙幣釣銭機２００の構成について具体的に説明する。図１および図２に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａから外周を取り囲むように配置されている。
【００３２】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００３３】
また、周回搬送部２０３ａと各接続搬送部２０３ｂとの間で紙幣の搬送経路を切り換える経路切換部（図示せず）が、周回搬送部２０３ａに沿って配置されている。
【００３４】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられ、錠機構が設けられている。
【００３５】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより機外へ放出するようになっている。
【００３６】
出金リジェクト部２０４は、紙幣収納部２０６から繰り出された紙幣のうち、斜行等の搬送異常により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却されるようになっている。
【００３７】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００３８】
ＰＯＳレジスタ３００の制御部３３０は、図１に示すように、硬貨釣銭機１００の制御部１３０に通信接続されているとともに、店舗サーバ４００にも通信接続されている。そして、この制御部３３０は、硬貨釣銭機１００の制御部１３０や紙幣釣銭機２００の制御部２３０に指令を送ることにより硬貨釣銭機１００や紙幣釣銭機２００に対して硬貨や紙幣の入出金処理を行わせるようになっている。また、制御部３３０は、硬貨釣銭機１００の制御部１３０や紙幣釣銭機２００の制御部２３０から、これらの硬貨釣銭機１００や紙幣釣銭機２００における硬貨や紙幣の処理状況に係る情報を受け取るようになっている。
【００３９】
操作部３０４は、操作者が操作することができるようになっており、制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。また、ＰＯＳレジスタ３００には追加の表示部３０２ａが設けられており、様々な情報を表示部３０２に表示させる代わりに、あるいは表示部３０２における表示に加えて、追加の表示部３０２ａにおいて表示が行われるようになっていてもよい。また、ＰＯＳレジスタ３００にはカードリーダ３３６および印字部３３８が設けられている（図３参照、図１および図２では図示せず）。カードリーダ３３６は、操作者のＩＤカードを読み取ることにより操作者のＩＤや権限等に関する情報を取得するようになっている。また、印字部３３８は例えばプリンタから構成され、取引に関する情報や、硬貨釣銭機１００や紙幣釣銭機２００に収納された硬貨や紙幣の在高等の様々な情報を印字するようになっている。
【００４０】
図３に、上述のような構成からなる貨幣処理システム１の制御ブロック図を示す。図３に示すように、硬貨釣銭機１００の制御部１３０には、インターフェース１３２、硬貨受入部１１４、入金搬送部１０３、硬貨識別部１０１、分岐部１０４、硬貨収納部１０６、出金搬送部１０８、硬貨払出部１１６、操作表示部１１２、記憶部１３４等がそれぞれ接続されており、硬貨識別部１０１から制御部１３０に硬貨の識別結果が送られるとともに、制御部１３０から硬貨受入部１１４、入金搬送部１０３、分岐部１０４、硬貨収納部１０６、出金搬送部１０８、硬貨払出部１１６等の各々に対して様々な指令が送られるようになっている。また、硬貨釣銭機１００の制御部１３０は、インターフェース１３２により、紙幣釣銭機２００の制御部２３０やＰＯＳレジスタ３００の制御部３３０に対して信号の送受信を行うようになっている。また、操作者により操作表示部１１２に入力された指令が当該操作表示部１１２から制御部１３０に送られるとともに、制御部１３０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。また、記憶部１３４には、硬貨釣銭機１００における硬貨の処理状況や、硬貨釣銭機１００の内部に収納された硬貨の在高等の様々な情報が記憶されるようになっている。記憶部１３４に記憶される情報の詳細については後述する。
【００４１】
また、紙幣釣銭機２００の制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６、記憶部２３４等がそれぞれ接続されており、紙幣識別部２０１から制御部２３０に紙幣の識別結果が送られるとともに、制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の制御部２３０は、インターフェース２３２により、硬貨釣銭機１００の制御部１３０に対して信号の送受信を行うようになっている。また、記憶部２３４には、紙幣釣銭機２００における紙幣の処理状況や、紙幣釣銭機２００の内部に収納された紙幣の在高等の様々な情報が記憶されるようになっている。記憶部２３４に記憶される情報の詳細については後述する。
【００４２】
また、ＰＯＳレジスタ３００の制御部３３０には、表示部３０２、操作部３０４、記憶部３３４、インターフェース３３２、カードリーダ３３６、印字部３３８等がそれぞれ接続されており、操作者により操作部３０４に入力された指令が当該操作部３０４から制御部３３０に送られたり、カードリーダ３３６により読み取られた操作者のＩＤカードに係る情報が制御部３３０に送られたりするようになっている。また、制御部３３０は表示部３０２に指令を送ることにより当該表示部３０２に様々な情報を表示させるようになっている。なお、制御部３３０は、表示部３０２に様々な情報を表示させる代わりに、あるいは表示部３０２における表示に加えて、追加の表示部３０２ａにおいて表示を行わせるようになっていてもよい。また、制御部３３０は印字部３３８に指令を送ることにより当該印字部３３８により様々な情報を印字させるようになっている。また、ＰＯＳレジスタ３００の制御部３３０は、インターフェース３３２により、硬貨釣銭機１００の制御部１３０や店舗サーバ４００に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。記憶部３３４に記憶される情報の詳細については後述する。
【００４３】
また、本実施の形態による貨幣処理システム１の硬貨釣銭機１００において、各硬貨収納部１０６に収納されている各金種の硬貨について在高異常の可能性が生じたときにこのことを検出する在高異常検出部１４０が設けられている（図３参照）。より詳細には、図１に示すように出金搬送部１０８における硬貨払出部１１６近傍の箇所には通過センサ１０８ａが設けられており、各硬貨収納部１０６から出金搬送部１０８に繰り出された硬貨が通過センサ１０８ａにより検出されなかった場合には、この硬貨は硬貨払出部１１６まで搬送されずに出金搬送部１０８でジャムが生じたとして、在高異常検出部１４０により当該硬貨収納部１０６に対応する金種の硬貨について在高異常の可能性が生じたことが検出される。また、硬貨釣銭機１００の筐体１１０の内部から、各硬貨収納部１０６を含むユニットが手前側に引き出されたときには、在高異常検出部１４０は、全ての金種の硬貨について在高異常の可能性が生じたことを検出する。
【００４４】
また、本実施の形態による貨幣処理システム１の紙幣釣銭機２００において、各紙幣収納部２０６に収納されている各金種の紙幣について在高異常の可能性が生じたときにこのことを検出する在高異常検出部２４０が設けられている（図３参照）。より詳細には、図１に示すように接続搬送部２０３ｂにおける紙幣払出部２１６近傍の箇所には通過センサ２０３ｃが設けられており、各紙幣収納部２０６から周回搬送部２０３ａに繰り出された紙幣が通過センサ２０３ｃにより検出されなかった場合には、この紙幣は紙幣払出部２１６まで搬送されずに周回搬送部２０３ａや接続搬送部２０３ｂでジャムが生じたとして、在高異常検出部２４０により当該紙幣収納部２０６に対応する金種の紙幣について在高異常の可能性が生じたことが検出される。また、紙幣釣銭機２００の筐体２１０の内部から、各紙幣収納部２０６を含むユニットが手前側に引き出されたときには、在高異常検出部２４０は、全ての金種の紙幣について在高異常の可能性が生じたことを検出する。
【００４５】
在高異常検出部１４０、２４０により在高異常の可能性が生じたことが検出されたときには、このことが検出時刻とともに記憶部１３４や記憶部２３４、あるいは記憶部３３４に記憶される。
【００４６】
次に、このような構成からなる貨幣処理システム１の動作について説明する。なお、以下に示す貨幣処理システム１の動作は、硬貨釣銭機１００の制御部１３０や紙幣釣銭機２００の制御部２３０、あるいはＰＯＳレジスタ３００の制御部３３０が、硬貨釣銭機１００や紙幣釣銭機２００の各構成要素をそれぞれ制御することにより行われる。
【００４７】
まず、硬貨釣銭機１００に硬貨を入金する場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により出金搬送部１０８へ案内（搬送）され、出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００４８】
また、硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００の制御部３３０から出金指令が硬貨釣銭機１００の制御部１３０に送られることにより、硬貨釣銭機１００から釣銭としての硬貨が出金されるようになる。硬貨釣銭機１００の制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００４９】
次に、紙幣釣銭機２００に紙幣を入金する場合の動作について以下に説明する。紙幣受入部２１４の紙幣受入口２１４ａに紙幣が挿入されると、紙幣受入部２１４は、紙幣受入口２１４ａに挿入された入金紙幣を一括で取り込んで、周回搬送部２０３ａ側へ１枚ずつ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納される。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００５０】
また、当該紙幣釣銭機２００から釣銭としての紙幣を出金する場合には、操作者は操作表示部１１２により出金されるべき紙幣の金種別の枚数や合計金額等を入力する。あるいは、ＰＯＳレジスタ３００の制御部３３０から出金指令が硬貨釣銭機１００経由で紙幣釣銭機２００の制御部２３０に送られることにより、紙幣釣銭機２００から釣銭としての紙幣が出金されるようになる。紙幣釣銭機２００の制御部２３０に対して出金指令が与えられると、紙幣収納部２０６に収納されている紙幣が当該紙幣収納部２０６から繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等の搬送異常により紙幣識別部２０１で識別することができない紙幣は、出金リジェクト紙幣として出金リジェクト部２０４に収納される。
【００５１】
次に、本実施の形態の貨幣処理システム１において、複数の操作者が貨幣釣銭機を取り扱う場合における操作者の交代時の動作について図４に示すフローチャートを用いて以下に説明する。なお、以下に示すような動作は、硬貨釣銭機１００の制御部１３０や紙幣釣銭機２００の制御部２３０、あるいはＰＯＳレジスタ３００の制御部３３０が、硬貨釣銭機１００や紙幣釣銭機２００の各構成要素をそれぞれ制御することにより行われる。
【００５２】
本実施の形態の貨幣処理システム１によれば、操作者交代の指令が制御部１３０や制御部２３０、あるいは制御部３３０に与えられたときに、記憶部１３４や記憶部２３４、あるいは記憶部３３４に記憶された情報に基づいて、現操作者の担当期間内において在高異常の可能性が生じているかを確認し、その確認結果に基づく情報を硬貨釣銭機１００の操作表示部１１２やＰＯＳレジスタ３００の表示部３０２等に表示するようになっている。なお、現操作者の担当期間とは、営業時間内において、当該操作者が担当し始めてから終了するまで、あるいは、担当の途中であればその時点までの期間を指す。また、操作者の交代とは、現操作者の担当が終了することを指し、次に別の操作者が担当する場合だけでなく、貨幣処理システム１の稼働を停止させたり、メンテナンス処理を開始したりする場合も含む。
【００５３】
図４に示すフローチャートを用いて具体的に説明すると、まず、貨幣釣銭機において取引処理を行う操作者が第１の操作者から第２の操作者に変更される場合において、第１の操作者は硬貨釣銭機１００の操作表示部１１２を操作することにより在高確認を行うことを指示する（ＳＴＥＰ１の「ＹＥＳ」）。なお、硬貨釣銭機１００の操作表示部１１２を操作する代わりに、ＰＯＳレジスタ３００の操作部３０４を操作することにより在高確認の指示がなされるようになっていてもよい。在高確認の指示がなされると、硬貨釣銭機１００や紙幣釣銭機２００に収納されている硬貨や紙幣について在高異常の可能性がない場合には、操作表示部１１２には図５（ａ）に示すように硬貨釣銭機１００および紙幣釣銭機２００に収納された硬貨および紙幣の金種毎の枚数、ならびに出金リジェクト部２０４および紙幣回収カセット２０７に収納された紙幣の枚数が表示される。図５（ａ）に示すような画面において、第１の操作者が「在高」キーを押下すると、操作表示部１１２には図５（ｂ）に示すように硬貨釣銭機１００および紙幣釣銭機２００に収納された硬貨および紙幣の金種毎の枚数、出金リジェクト部２０４および紙幣回収カセット２０７に収納された紙幣の枚数、ならびに合計金額が表示される（ＳＴＥＰ２）。
【００５４】
一方、在高確認の指示がなされたときに、硬貨釣銭機１００や紙幣釣銭機２００に収納されている硬貨や紙幣について在高異常の可能性が生じている場合には、操作表示部１１２に硬貨および紙幣の金種毎の枚数等が表示されたときに、図５（ｃ）に示すように「在高を確認してください」という表示がなされるとともに「在高」キーが色表示される（図５（ｃ）では斜線で色表示を表現している）。より具体的には、前述したように、記憶部１３４や記憶部２３４、記憶部３３４には、在高異常検出部１４０、２４０により在高異常の可能性が生じたことが検出されたときにこのことが検出時刻とともに記憶されるようになっており、制御部１３０や制御部２３０、あるいは制御部３３０は、記憶部１３４や記憶部２３４、あるいは記憶部３３４に記憶された情報に基づいて、硬貨釣銭機１００や紙幣釣銭機２００に収納されている硬貨や紙幣について在高異常の可能性が生じているか否かを確認する。そして、図５（ｃ）に示すような画面において、第１の操作者が「在高」キーを押下すると、操作表示部１１２に硬貨および紙幣の金種毎の枚数等が表示されたときに、図５（ｄ）に示すように、「在高を確認してください」という表示が引き続き行われるとともに、在高異常の可能性が生じている金種の箇所が色表示される（図５（ｄ）では斜線で色表示を表現している）。
【００５５】
第１の操作者により在高確認の指示がなされたときに（ＳＴＥＰ１の「ＹＥＳ」）、図５（ｃ）（ｄ）に示すような「在高を確認してください」というメッセージが表示されるのは、この第１の操作者の担当期間中に在高異常の可能性が生じた場合に限られず、この第１の操作者の担当期間以前の他の操作者による担当期間内に在高異常の可能性が生じた場合にも同様の表示がなされる。
【００５６】
その後、操作表示部１１２に図５（ｂ）（ｄ）に示すような画面が表示されているときに、第１の操作者が「交代」キーを押下すると（ＳＴＥＰ３の「ＹＥＳ」）、制御部１３０や制御部２３０、あるいは制御部３３０は、現操作者（すなわち、第１の操作者）の担当期間内において在高異常の可能性が生じているか否かを確認（チェック）する（ＳＴＥＰ４）。そして、現操作者の担当期間内において在高異常の可能性が生じていない場合には（ＳＴＥＰ５の「ＮＯ」）、操作表示部１１２には図６（ａ）に示すように正常表示がなされる（ＳＴＥＰ１０）。この際に、図６（ａ）に示すように、「異常なし」というメッセージが表示される。この際に、第１の操作者の担当期間も表示される（図６（ａ）における「１１月７日１９：２２−１１月７日１９：２４」という表示を参照）。一方、現操作者の担当期間内において在高異常の可能性が生じている場合には（ＳＴＥＰ５の「ＹＥＳ」）、図６（ｂ）に示すように異常表示がなされる（ＳＴＥＰ６）。具体的には、図６（ｂ）に示すように「確認必要」というメッセージが色表示される。
【００５７】
そして、操作表示部１１２に図６（ｂ）に示すような画面が表示されているときに、第１の操作者が「重要操作」キーを押下すると（ＳＴＥＰ７の「ＹＥＳ」）、図６（ｃ）に示すように、障害発生や重要操作の状況の履歴が時系列順に詳細に表示される（ＳＴＥＰ８）。この際に、第１の操作者の担当期間内および担当期間外の両方における障害発生や重要操作の状況の履歴が表示される。図６（ｃ）では、障害発生の履歴を枠で囲って表示している。すなわち、図６（ｃ）に示す表示では、１１月７日１９：２６：２５に硬貨の在高異常の可能性が生じている。なお、第１の操作者が「重要操作」キーを押下したときに、第１の操作者の担当期間内および担当期間外の両方の期間における障害発生や重要操作の状況の履歴が表示される代わりに、第１の操作者の担当期間内のみにおける障害発生や重要操作の状況の履歴が時系列順に詳細に表示されるようになっていてもよい。あるいは、第１の操作者が「重要操作」キーを押下したときに、第１の操作者の担当期間内および担当期間外の両方の期間における障害発生や重要操作の状況の履歴が表示されるが、第１の操作者の担当期間内の障害発生や重要操作の状況の履歴を、担当期間外の障害発生や重要操作の状況の履歴から区別可能に表示するようになっていてもよい。
【００５８】
操作表示部１１２に図６（ｃ）に示すような画面が表示されているときに、第１の操作者が「戻る」キーを押下すると（ＳＴＥＰ９の「ＹＥＳ」）、操作表示部１１２における表示内容は図６（ｂ）に示すようなものに戻る。その後、操作表示部１１２に図６（ａ）または図６（ｂ）に示すような画面が表示されているときに、第１の操作者が「締め」キーを押下すると（ＳＴＥＰ１１の「ＹＥＳ」）、第１の操作者により行われた取引について締め処理（所定期間）が行われる（ＳＴＥＰ１２）。具体的には、操作表示部１１２には、図６（ｄ）に示すような画面が表示され、第１の操作者が「決定」キーを押下すると、第１の操作者の担当期間である１１月７日１９：２２−１１月７日１９：５３のデータが前区間のデータに移行される。その後、第２の操作者がＩＤカードをＰＯＳレジスタ３００のカードリーダ３３６により読み取らせることにより、第２の操作者がログインすると（ＳＴＥＰ１３の「ＹＥＳ」）、第２の操作者による取引が開始される。
【００５９】
なお、本実施の形態では、図４のフローチャートに示すような操作者の交代時の動作が、硬貨釣銭機１００や紙幣釣銭機２００からなる貨幣釣銭機単体で行われるようになっていてもよい。この場合には、硬貨釣銭機１００や紙幣釣銭機２００に収納されている硬貨や紙幣について、在高異常検出部１４０、２４０により在高異常の可能性が生じたことが検出されたときには、このことは記憶部１３４や記憶部２３４に記憶される。また、操作者交代の指令は、第１の操作者が硬貨釣銭機１００の操作表示部１１２により制御部１３０や制御部２３０に入力することとなり、これらの制御部１３０や制御部２３０が、記憶部１３４や記憶部２３４に記憶された情報に基づいて、現操作者の担当期間内において在高異常の可能性が生じているかを確認し、その確認結果に基づく情報を操作表示部１１２に表示するようになる。
【００６０】
あるいは、図４のフローチャートに示すような操作者の交代時の動作は、硬貨釣銭機１００や紙幣釣銭機２００からなる貨幣釣銭機と、ＰＯＳレジスタ３００とが協働することにより行われるようになっていてもよい。この場合には、硬貨釣銭機１００や紙幣釣銭機２００に収納されている硬貨や紙幣について、在高異常検出部１４０、２４０により在高異常の可能性が生じたことが検出されたときには、このことは記憶部１３４や記憶部２３４、あるいは記憶部３３４に記憶される。また、操作者交代の指令は、第１の操作者が硬貨釣銭機１００の操作表示部１１２により制御部１３０や制御部２３０に入力するか、あるいは第１の操作者がＰＯＳレジスタ３００の操作部３０４により制御部３３０に入力することとなり、制御部１３０、２３０、３３０のうちのいずれかの制御部が、記憶部１３４や記憶部２３４、あるいは記憶部３３４に記憶された情報に基づいて、現操作者の担当期間内において在高異常の可能性が生じているかを確認し、その確認結果に基づく情報を硬貨釣銭機１００の操作表示部１１２やＰＯＳレジスタ３００の表示部３０２に表示するようになる。
【００６１】
あるいは、図４のフローチャートに示すような操作者の交代時の動作は、ＰＯＳレジスタ３００が主体となって行うようになっていてもよい。この場合には、営業中のログデータは全てＰＯＳレジスタ３００の記憶部３３４に記憶されるようになる。また、この場合には、硬貨釣銭機１００や紙幣釣銭機２００に収納されている硬貨や紙幣について在高異常の可能性が生じたときにこのことを検出する在高異常検出部もＰＯＳレジスタ３００に設けられるようになる。そして、硬貨釣銭機１００や紙幣釣銭機２００に収納されている硬貨や紙幣について、ＰＯＳレジスタ３００に設けられた在高異常検出部により在高異常の可能性が生じたことが検出されたときには、このことが記憶部３３４に記憶されるようになる。また、ＰＯＳレジスタ３００の制御部３３０が、記憶部３３４に記憶された情報に基づいて、現操作者の担当期間内において在高異常の可能性が生じているかを確認し、その確認結果に基づく情報をＰＯＳレジスタ３００の表示部３０２に表示したり、硬貨釣銭機１００や紙幣釣銭機２００の制御部１３０、２３０に送信したりするようになる。
【００６２】
以上のように本実施の形態による貨幣釣銭機や貨幣処理システム１によれば、硬貨釣銭機１００の硬貨収納部１０６や紙幣釣銭機２００の紙幣収納部２０６に収納されている紙幣や硬貨について在高異常の可能性が生じたときには在高異常検出部１４０、２４０によりこのことが検出され、在高異常検出部１４０、２４０により在高異常の可能性が生じたことが検出されたときにこのことが記憶部１３４、２３４、３３４に記憶されるようになっている。そして、操作者交代の指令が制御部１３０、２３０、３３０に与えられたときに、記憶部１３４、２３４、３３４に記憶された情報に基づいて、現操作者の担当期間内において在高異常の可能性が生じているかを確認し、その確認結果に基づく情報を出力するようになっている。出力された情報は、例えば硬貨釣銭機１００の操作表示部１１２に表示されるようになっている。このことにより、複数の操作者が交代で貨幣釣銭機を取り扱う場合において操作者が交代するときに、現操作者の担当期間内において在高異常の可能性が生じていたときにこのことを確認することができる。すなわち、従来の貨幣釣銭機では、貨幣釣銭機の収納部に収納されている貨幣について在高異常が生じた場合であっても、このような在高異常の発生は早くても店舗の営業終了後等に貨幣釣銭機の締め処理を行う際にしか確認することができなかった。これに対して、本実施の形態による貨幣釣銭機および貨幣処理システムによれば、各操作者の担当期間内に在高異常の発生の有無を操作者の交代時に確認し、貨幣釣銭機の収納部に収納されている貨幣について在高異常が生じたときにはこのことを迅速に認識することができるようになる。
【００６３】
また、本実施の形態の貨幣釣銭機や貨幣処理システム１では、操作表示部１１２により操作者交代の指令が硬貨釣銭機１００の制御部１３０や紙幣釣銭機２００の制御部２３０に入力されるようになっている。あるいは、硬貨釣銭機１００や紙幣釣銭機２００の制御部１３０や制御部２３０が主体となって各構成要素の制御を行う場合には、貨幣釣銭機（硬貨釣銭機１００や紙幣釣銭機２００）とは別に設けられた外部装置（具体的には、ＰＯＳレジスタ３００）から硬貨処理機１００の制御部１３０や紙幣釣銭機２００の制御部２３０に対して操作者交代の指令が送信されるようになっている。
【００６４】
また、本実施の形態の貨幣釣銭機や貨幣処理システム１では、前述したように、制御部１３０や制御部２３０、あるいは制御部３３０は、操作者交代の指令が与えられたときに、記憶部１３４、２３４、３３４に記憶された情報に基づいて、現操作者の担当期間外において在高異常の可能性が生じているかを確認し、その確認結果に基づく情報も操作表示部１１２に表示することができるようになっている。具体的には、図６（ｃ）に示すように、操作者交代の指令を入力した操作者の担当期間内および担当期間外の両方の期間における障害発生や重要操作の状況の履歴が操作表示部１１２に表示される。
【００６５】
なお、本実施の形態による貨幣釣銭機やこの貨幣釣銭機が設けられた貨幣処理システム１は、上記の態様に限定されるものではなく、様々の変更を加えることができる。
【００６６】
例えば、制御部１３０、２３０、３３０が現操作者の担当期間内において在高異常の可能性が生じているかを確認し、その確認結果を操作表示部１１２に表示するのは、複数の操作者が交代で貨幣釣銭機を取り扱う場合において操作者が交代するときに限定されることはない。操作者が自分の担当期間中における在高異常の発生の有無を確認したいときに、在高異常の可能性の有無確認の指令を操作表示部１１２等により制御部１３０や制御部２３０、あるいは制御部３３０に入力したときにも、図４のフローチャートに示すような動作と同様の動作が行われるようになっていてもよい。このときには、ある操作者が自分の担当期間中における在高異常の発生の有無を確認した後に、同じ担当者が貨幣釣銭機で取引を続行する場合もある。また、ある操作者が自分の担当期間中における在高異常の発生の有無を確認した後に、新たな操作者が貨幣釣銭機の取引を担当することなく、全体の締め処理を行い、業務を終了する場合もある。
【００６７】
操作者が自分の担当期間中における在高異常の発生の有無を確認する動作についてより詳細に説明すると、在高異常の可能性の有無確認の指令が操作者により操作表示部１１２等を介して制御部１３０、２３０、３３０に与えられたときに、これらの制御部１３０、２３０、３３０は、記憶部１３４、２３４、３３４に記憶された情報に基づいて、現操作者の担当期間内において在高異常の可能性が生じているかを確認し、その確認結果に基づく情報を出力するようになる。そして、出力された情報は、例えば硬貨釣銭機１００の操作表示部１１２に表示されるようになる。このことにより、操作者が自分の担当期間中における在高異常の発生の有無を確認したいときに、現操作者の担当期間内において在高異常の可能性が生じていたときにこのことを確認することができる。すなわち、従来の貨幣釣銭機では、貨幣釣銭機の収納部に収納されている貨幣について在高異常が生じた場合であっても、このような在高異常の発生は早くても店舗の営業終了後等に貨幣釣銭機の締め処理を行う際にしか確認することができなかった。これに対して、上述のような態様によれば、操作者は自分の担当期間内における在高異常の発生の有無をいつでも確認することができるようになり、貨幣釣銭機の収納部に収納されている貨幣について在高異常が生じたときにはこのことを迅速に認識することができるようになる。
【００６８】
あるいは、制御部１３０、２３０、３３０が現操作者の担当期間内において在高異常の可能性が生じているかを確認し、その確認結果を操作表示部１１２等に表示するのは、操作者交代や在高異常の可能性の有無確認の指令以外の所定の指令が制御部１３０、２３０、３３０に与えられたときであってもよい。この場合には、当該所定の指令が操作者により操作表示部１１２等を介して制御部１３０、２３０、３３０に与えられたときに、これらの制御部１３０、２３０、３３０は、記憶部１３４、２３４、３３４に記憶された情報に基づいて、現操作者の担当期間内において在高異常の可能性が生じているかを確認し、その確認結果に基づく情報を出力するようになる。なお、操作者交代や在高異常の可能性の有無確認の指令以外の所定の指令としては、例えば、操作者の休憩の開始指示や終了指示が挙げられる。また、予め設定された時刻になったり、予め設定された取引金額や取引件数に達したりしたときに、所定の指令が制御部１３０、２３０、３３０に与えられ、これらの制御部１３０、２３０、３３０が、記憶部１３４、２３４、３３４に記憶された情報に基づいて、現操作者の担当期間内において在高異常の可能性が生じているかを確認し、その確認結果に基づく情報を出力するようになっていてもよい。
【００６９】
また、操作者交代や在高異常の可能性の有無確認の指令等の所定の指令が制御部１３０、２３０、３３０に入力された後、操作表示部１１２等に正常表示や異常表示が表示されているときに、操作者の担当期間内の取引データの詳細も表示させることができるようになっていてもよい。より詳細には、操作表示部１１２に図６（ａ）（ｂ）（ｃ）に示すような画面が表示されているときに、操作者が「取引」キーを押下することにより、図７（ａ）に示すような操作者の担当期間内の取引内容の詳細が操作表示部１１２に表示されるようになる。この場合には、貨幣釣銭機における入金処理や出金処理等の様々な取引内容の履歴が時系列順に詳細に表示されるようになる。また、操作表示部１１２に図７（ａ）に示すような画面が表示されているときに、操作者が「明細」キーを押下することにより、図７（ｂ）に示すような各取引における紙幣や硬貨の金種毎の投入枚数や投出枚数、ならびに入金金額や出金金額等が操作表示部１１２に表示されるようになる。なお、操作表示部１１２に図７（ｂ）に示すような画面が表示されているときに、操作者が「金額」キーを押下することにより、図７（ａ）に示すような画面に戻るようになる。また、操作者交代や在高異常の可能性の有無確認の指令等の所定の指令が制御部１３０、２３０、３３０に入力された後、操作表示部１１２に正常表示や異常表示が表示されているときに、図７に示すような取引データ以外に、操作者の担当期間内における補充処理データ、回収処理データ、取引外入出金処理データ等の様々なデータの詳細も表示させることができるようになっていてもよい。
【００７０】
また、更に他の変形例として、操作者交代や在高異常の可能性の有無確認の指令等の所定の指令が制御部１３０、２３０、３３０に入力された後、これまでに貨幣釣銭機の取引を担当した全担当者について、各担当者の担当期間内において在高異常の可能性が生じているか否かを操作表示部１１２に表示できるようになっていてもよい。すなわち、ある操作者が操作者交代や在高異常の可能性の有無確認の指令等の所定の指令を制御部１３０、２３０、３３０に入力したときに、前任者や前々任者の担当期間内において在高異常の可能性が生じていたときにはこのことを操作表示部１１２に表示できるようになっていてもよい。
【００７１】
また、更に他の変形例として、操作者交代や在高異常の可能性の有無確認の指令等の所定の指令が制御部１３０、２３０、３３０に入力された後、在高異常の可能性が生じていることが操作表示部１１２に表示されたときには、特定の権限を有する管理者が貨幣釣銭機を操作しない限り、貨幣釣銭機は次の処理を行うことができないようになっていてもよい。
【００７２】
また、制御部１３０、２３０、３３０に操作者交代や在高異常の可能性の有無確認の指令等の所定の指令が制御部１３０、２３０、３３０に入力された後、記憶部１３４、２３４、３３４に記憶された情報に基づいて、現操作者の担当期間内において在高異常の可能性が生じているかを確認し、その確認結果に基づく情報を出力する際に、出力された情報は硬貨釣銭機１００の操作表示部１１２やＰＯＳレジスタ３００の表示部３０２等に表示されることに限定されることはない。出力された情報が印字部３３８により印字されるようになっていてもよい。あるいは、出力された情報がＰＯＳレジスタ３００から店舗サーバ４００に送信されるようになっていてもよい。あるいは、出力された情報が操作者に報知されずに単に記憶部１３４、２３４、３３４に記憶されるようになっていてもよい。
【００７３】
また、更に他の変形例としては、硬貨釣銭機１００ではなく紙幣釣銭機２００が操作表示部１１２を備えるとともにＰＯＳレジスタ３００に接続されて親機として機能し、硬貨釣銭機１００が子機として紙幣釣銭機２００に接続されるようになっていてもよい。また、硬貨釣銭機１００および紙幣釣銭機２００が並列的にＰＯＳレジスタ３００に接続されるようになっていてもよい。また、硬貨釣銭機１００および紙幣釣銭機２００が一体的に構成される釣銭機がＰＯＳレジスタ３００に接続されるようになっていてもよい。また、硬貨釣銭機１００あるいは紙幣釣銭機２００の一方のみがＰＯＳレジスタ３００に接続され、当該ＰＯＳレジスタ３００により運用され、他方の釣銭機はＰＯＳレジスタ３００および一方の釣銭機から独立して運用されるようになっていてもよい。
【符号の説明】
【００７４】
１  貨幣処理システム
１００  硬貨釣銭機
１０１  硬貨識別部
１０３  入金搬送部
１０４  分岐部
１０６  硬貨収納部
１０８  出金搬送部
１０８ａ  通過センサ
１１０  筐体
１１２  操作表示部
１１４  硬貨受入部
１１６  硬貨払出部
１３０  制御部
１３２  インターフェース
１３４  記憶部
１４０  在高異常検出部
２００  紙幣釣銭機
２０１  紙幣識別部
２０３ａ  周回搬送部
２０３ｂ  接続搬送部
２０３ｃ  通過センサ
２０４  出金リジェクト部
２０６  紙幣収納部
２０７  紙幣回収カセット
２１０  筐体
２１４  紙幣受入部
２１４ａ  紙幣受入口
２１６  紙幣払出部
２１６ａ  紙幣取出口
２３０  制御部
２３２  インターフェース
２３４  記憶部
２４０  在高異常検出部
３００  ＰＯＳレジスタ
３０２  表示部
３０２ａ  追加の表示部
３０４  操作部
３３０  制御部
３３２  インターフェース
３３４  記憶部
３３６  カードリーダ
３３８  印字部
４００  店舗サーバ
【図１】
0005905242.tif 000002
【図２】
0005905242.tif 000003
【図３】
0005905242.tif 000004
【図４】
0005905242.tif 000005
【図５】
0005905242.tif 000006
【図６】
0005905242.tif 000007
【図７】
0005905242.tif 000008